(57)【要約】【課題】  ＣＤ−Ｒ等に画像データを書き込む機能とネットワークに接続する機能を有するデータ記録装置において、画像データのＣＤ−Ｒへの書き込み信頼性を向上する。【解決手段】  ハードディスク装置１４及びＣＤ−Ｒ装置１５に対して入力された画像データを書き込む際に、データ通信装置１８からのファイル操作要求を拒絶或いは制限する手段を具備する。また、ファイル装置要求を拒絶するには、ＣＤ−Ｒ装置１５の書き込み時には、データ通信装置１８の動作を停止させる、或いは、ＣＤ−Ｒ装置１５に書き込み中である時には、エラーステイタスを返信することによってファイル操作要求を拒絶する。【選択図】        図２
2005122779.tif 000002
【特許請求の範囲】
【請求項１】
データを入力するデータ入力手段と、可搬記憶媒体からなる第１の記憶媒体に入力されたデータを読出し可能に書き込む第１の記録手段と、第２の記憶媒体に前記入力されたデータを読出し可能に書き込む第２の記録手段と、前記第１及び第２の記録手段に対する書き込み及び読出し動作を制御する制御手段と、ネットワークとのデータ通信を行うデータ通信手段とを備えたデータ記録装置において、前記制御手段は、前記第１の記憶媒体に対して前記入力されたデータを書き込む際に、ネットワークからのファイル操作要求を拒絶或いは制限する手段を有することを特徴とするデータ記録装置。
【請求項２】
前記制御手段は、前記第１の記憶媒体に画像データを書き込む時に前記データ通信手段を停止させることによって前記ファイル操作要求を拒絶することを特徴とする請求項１に記載のデータ記録装置。
【請求項３】
前記制御手段は、前記データ通信手段からのファイル操作コマンド受信時に前記第１の記憶媒体にデータの書き込む中であるかを判定し、書き込み中である場合には、エラーステイタスを返信することによって前記ファイル操作要求を拒絶することを特徴とする請求項１に記載のデータ記録装置。
【請求項４】
前記制御手段は、前記データ通信手段からのファイル操作コマンド受信時に前記第１の記憶媒体にデータの書き込む中であるかを判定し、書き込み中である場合には、処理能力がない場合のみエラーステイタスを返信することによって前記ファイル操作要求を拒絶することを特徴とする請求項１に記載のデータ記録装置。
【請求項５】
データを入力する画像データ入力手段と、可搬記憶媒体からなる第１の記憶媒体に入力されたデータを読出し可能に書き込む第１の記録手段と、第２の記憶媒体に前記入力されたデータを読出し可能に書き込む第２の記録手段と、前記第１及び第２の記録手段に対する書き込み及び読出し動作を制御する制御手段と、ネットワークとのデータ通信を行うデータ通信手段とを備えたデータ記録装置の記録方法において、前記第１の記憶媒体に対して前記入力されたデータを書き込む際に、ネットワークからのファイル操作要求を拒絶或いは制限することを特徴とするデータ記録方法。
【発明の詳細な説明】
【技術分野】
【０００１】
本発明は、画像データ等のデータを可搬記憶媒体に記録するデータ記録装置及びデータ記録方法に関するものである。
【背景技術】
【０００２】
従来、入力された画像データをリムーバルな記憶媒体、例えば、ＣＤ−Ｒに記録するための画像データ記録装置には、例えば、特開平１１−３１７０５５号公報で提案されているように入力された画像データをハードディスク装置に書き込み、このハードディスク装置に書き込まれた画像データをＣＤ−Ｒに書き込む記録方式がある（特許文献１参照）。
【０００３】
図７は同公報の画像データ記録装置の構成を示すブロック図、図８は同公報の動作手順を示すフローチャートである。
【０００４】
画像データ記録装置は、図７に示すようにフィーダ部（図示せず）から供給された原稿画像を読み取り、その画像データを入力する画像入力部１０１と、入力された画像データを一旦保持するＲＡＭ等からなるメモリ１０３と、入力された画像データを格納するとともに装置全体を制御するための制御プログラムを格納するハードディスク装置（ＨＤ）１０４と、可搬記憶媒体であるＣＤ−Ｒに入力された画像データを格納するＣＤ―Ｒ装置（ＣＤ―Ｒ）１０５と、動作処理内容、入力された画像データ及びエラー情報等を表示するための表示部１０６と、動作設定指示等の操作指示を入力するための操作部１０７と、装置全体を上記制御プログラムに従い制御するための制御部１０２とを備えている。
【０００５】
この画像データ記録装置の動作について図８を参照しながら説明する。画像入力部１０１により入力された画像データをＣＤ−Ｒに記録する場合には、まず、ステップＳ８０１において画像入力部１０１のフィーダ部に読み取り対象となる原稿があるか否かを判定し、原稿があると、ステップＳ８０２に進み、フィーダ部から供給された１枚の原稿を読み取り、その画像データを制御部１０１を介してメモリ１０３に一旦記憶させた後、ハードディスク装置１０４に書き込む。次に、再度ステップＳ８０１に戻り、フィーダ部に原稿があるか否かを判定し、原稿があれば、ステップＳ８０２に進み、画像データをハードディスク装置１０４に書き込む。
【０００６】
ステップＳ８０１において、フィーダ部に原稿がないと判定されると、フィーダ部から供給された全ての原稿が読み取られ、その画像データがハードディスク装置１０４に書き込まれたと判断してステップＳ８０３に進み、操作部１０７からの入力情報に基づいてＣＤ−Ｒにデータの書き込みを行うか否かを判定する。ＣＤ−Ｒへのデータの書き込みを行わない時はそのまま処理を終了する。一方、ＣＤ−Ｒにデータの書き込みを行う場合には、ステップＳ８０４に進み、ハードディスク装置１０４から画像データを読み出してＣＤ−Ｒへ書き込む。この画像データを書き込む際にはＣＤ−Ｒに対する管理情報が更新され、書き込まれる。次いで、ステップＳ８０５に進み、ＣＤ−Ｒ装置１０５からＣＤ−Ｒを排出可能に設定し、本処理を終了する。
【０００７】
また、ハードディスク装置１０４に書き込まれた画像データには、操作部１０７からの入力情報や画像データを解析分類する事でインデックス情報が作成付加され、ハードディスク装置１０４の内部に保存蓄積される。
【０００８】
一方、図７の装置の機能に加えて、更にハードディスクに装置に書き込んだ画像データをネットワークからの要求に応じて読み書きを行うファイル操作機能を有するものがある。即ち、このような機能を図７の画像データ記録装置に付加すると、ネットワークとの接続制御やデータ通信を行う外部通信手段１０８を設けた構成となる。この構成では、装置外部からのネットワークアクセスに応じて外部通信手段１０８を介してハードディスク装置１０４の内部に保存蓄積された画像データを転送する等の処理を行うことでファイルサーバとしての動作を行う。
【特許文献１】特開平１１−３１７０５５号公報
【発明の開示】
【発明が解決しようとする課題】
【０００９】
従来の記録方式では、入力された画像データをＣＤ−Ｒに書き込む際に、ネットワークからのアクセス増大により制御部の処理が増加すると、ＣＤ−Ｒに書き込む動作が不安定になり、書込みエラーが発生し易く、ＣＤ−Ｒの書き込み内容に対する信頼性を損なう恐れがあった。また、ファイル操作機能を有する場合には、書き込み途中のファイル群をネットワークからのアクセスで操作される事で、ハードディスク装置とＣＤ−Ｒのファイルの整合性が崩されることがあった。
【００１０】
本発明は、上記従来の問題点に鑑みなされたもので、その目的は、アクセスが増加しても書き込みデータの信頼性が低下することがなく、ファイル整合性が崩されることのないデータ記録装置及び方法を提供することにある。
【課題を解決するための手段】
【００１１】
本発明は、上記目的を達成するため、データを入力するデータ入力手段と、可搬記憶媒体からなる第１の記憶媒体に入力され像データを読出し可能に書き込む第１の記録手段と、第２の記憶媒体に前記入力されたデータを読出し可能に書き込む第２の記録手段と、前記第１及び第２の記録手段に対する書き込み及び読出し動作を制御する制御手段と、ネットワークとのデータ通信を行うデータ通信手段とを備えたデータ記録装置において、前記制御手段は、前記第１の記憶媒体に対して前記入力されたデータを書き込む際に、ネットワークからのファイル操作要求を拒絶或いは制限する手段を有することを特徴とする。
【００１２】
また、本発明は、データを入力するデータ入力手段と、可搬記憶媒体からなる第１の記憶媒体に入力されたデータを読出し可能に書き込む第１の記録手段と、第２の記憶媒体に前記入力されたデータを読出し可能に書き込む第２の記録手段と、前記第１及び第２の記録手段に対する書き込み及び読出し動作を制御する制御手段と、ネットワークとのデータ通信を行うデータ通信手段とを備えたデータ記録装置の記録方法において、前記第１の記憶媒体に対して前記入力されたデータを書き込む際に、ネットワークからのファイル操作要求を拒絶或いは制限することを特徴とする。
【発明の効果】
【００１３】
本発明によれば、第１の記憶媒体に対して入力されたデータを書き込む際に、データ通信手段からのファイル操作要求を拒絶或いは制限することにより、第１の記憶媒体（ＣＤ−Ｒ）に書き込む際のエラーを防止すると同時に、制御部の性能が低い装置においてもＣＤ−Ｒへの書き込み性能を低下させずにネットワーク接続機能を付加する事が可能となる。
【発明を実施するための最良の形態】
【００１４】
次に、発明を実施するための最良の形態について図面を参照しながら詳細に説明する。図１は本発明による画像データ記録装置の一実施形態の外観を示す斜視図、図２は本発明の画像データ記録装置の一実施形態の構成を示すブロック図である。なお、特に断りがない限り、ＣＤ−Ｒ装置はＣＤ−Ｒ（メディア）を含むものとする。
【００１５】
まず、図２において、１１はフィーダ部（図示せず）から供給された原稿画像を読み取る画像データ入力部である。画像データ入力部１１で読み取られた画像データは画像データを一旦保持するＲＡＭ等からなるメモリ１３に格納される。１４は入力された画像データをディスクに格納するとともに装置全体を制御するための制御プログラムを格納するハードディスク装置（ＨＤ）、１５は可搬記憶媒体であるＣＤ−Ｒに入力された画像データを格納するＣＤ―Ｒ装置である。
【００１６】
また、１６は動作処理内容、入力された画像データ及びエラー情報等を表示する表示部、１７は動作設定指示等の操作指示を入力するための操作部、１８はネットワークとの接続制御或いはネットワークとのデータ通信等を行うデータ通信装置、１２は装置全体を制御プログラムに従って制御するための制御部（ＣＰＵ）である。データ通信装置１８は外部からのネットワークアクセスに応じてハードディスク装置１４に保存されたデータを転送する等のデータ通信を行う。
【００１７】
画像入力部１１は、図１に示すように装置本体の上面に設けられ、ＣＤ−Ｒ装置１５は装置本体の前面に設けられている。また、表示部１６はケーブルを介して装置本体（制御部１２）に接続されている。表示部１６はタッチパネルが貼り付けられた液晶パネルからなり、このタッチパネルにより操作部１７が構成されている。
【００１８】
制御プログラムには、ＣＤ−Ｒ装置１５及びハードディスク装置１４に対して入力された画像データを書き込むように制御する書き込み処理と、入力された画像データのハードディスク装置１４への書き込み終了後にハードディスク装置１４に書き込まれた内容を基準にして、ハードディスクに書き込みフォーマットを合わせる等してＣＤ−Ｒ装置１５に書き込む処理と、データ通信装置１８を介してネットワークアクセスに対してハードディスク装置１４のファイル操作を行うネットワーク通信処理とが含まれ、これら一連の処理は制御部１２が制御プログラムを実行することによって行う。この一連の処理の詳細については後述する。
【００１９】
次に、本実施形態による画像データ記録装置の動作について図３を参照しながら説明する。図３は図１の画像データ記録装置の動作手順を示すフローチャートである。まず、ステップＳ３０１において一旦データ通信装置１８の動作を停止し、ネットワークからの要求を拒絶する。次いで、ステップＳ３０２で画像入力部１１のフィーダ部に読取原稿があるか否かを判定し、原稿がある場合には、ステップＳ３０３に進み、フィーダ部から供給された１枚の原稿を読み取り、その画像データを制御部１２を介してメモリ１３に一旦記憶させた後、ハードディスク装置１４及びＣＤ−Ｒ装置１５に書き込む。その後、再度ステップＳ３０２に戻ってフィーダ部に原稿があるか否かを判定し、原稿があれば同様にステップＳ３０３で画像データをハードディスク装置１４及びＣＤ−Ｒ装置１５に書き込む。
【００２０】
画像データを書き込む際には、記録する画像データと、画像データにアクセスするための名称（ファイル名）、データが書き込まれているアドレス、データの大きさ、データの作成日等の管理情報を元にハードディスク装置１４内部に画像データと管理情報が分類整理される。
【００２１】
ステップＳ３０２においてフィーダ部に原稿がないと判定されると、フィーダ部から供給された全ての原稿が読み取られ、その画像データがハードディスク装置１４及びＣＤ−Ｒ装置１５に書き込まれたと判断し、ステップＳ３０４に進んで一旦停止させたデータ通信装置１８の動作を回復し、ネットワークからのファイル操作要求に対応可能な状態に戻して処理を終了する。
【００２２】
図４は入力された画像データのハードディスク装置１４への書き込み終了後にハードディスク装置１４に書き込まれた内容を基準にしてＣＤ−Ｒ装置１５に書き込む場合の動作手順を示すフローチャートである。まず、ステップＳ４０１において画像入力部１１のフィーダ部に読取原稿があるか否かを判定し、原稿があればステップＳ４０２でフィーダ部から供給された１枚の原稿を読み取り、その画像データを制御部１２を介してメモリ１３に一旦記憶させた後、ハードディスク装置１４に書き込む。次いで、再度ステップＳ４０１に戻ってフィーダ部に原稿があるか否かを判定し、原稿があればステップＳ４０２に進み、画像データをハードディスク装置１４に書き込む。
【００２３】
画像データを書き込む際には、同様に記録する画像データと、画像データにアクセスするための名称、データが書き込まれているアドレス、データの大きさ、データ作成日等の情報を元にハードディスク装置１４内部に管理情報が分類整理される。
【００２４】
ステップＳ４０１においてフィーダ部に原稿がないと判定されると、フィーダ部から供給された全ての原稿が読み取られ、その画像データがハードディスク装置１４に書き込まれたと判断してステップＳ４０３に進む。ステップＳ４０３では、操作部１７からの指示或いは予め制御部１２に設定された指示に従いＣＤ−Ｒ装置１５に書き込みを行うか否かを判定する。
【００２５】
ＣＤ−Ｒ１５に書き込みを行う場合には、ステップＳ４０４で、一旦データ通信装置１８の動作を停止し、ネットワークからの要求を拒絶して、ステップＳ４０５でハードディスク装置１４の内部の画像データ、管理情報をＣＤ−Ｒ装置１５でＣＤ−Ｒに書き込んだ後、ステップＳ４０６で一旦停止したデータ通信装置１８の動作を回復し、ネットワークからのファイル操作要求に対応する状態に戻した後、本処理を終了する。
【００２６】
ここで、上述の実施形態においては、データ通信装置１８の動作を停止して書き込みを実施しているが、動作を停止しなくてもデータ通信装置１８からの要求を解析し、ハードディスク装置１４上の画像データ及び管理情報の移動、削除、変更等のファイル操作コマンドによる内部データ変更要求を拒絶し、エラーステイタスを返すことでも同様の効果が得られる。
【００２７】
図５はこの場合の処理を示すフローチャートである。まず、ステップ５０１でファイル操作コマンドを受信すると、制御部１２はＣＤ−Ｒ１５に書き込み中であるかどうかを判定する。この時、書き込み中でなければステップ５０３でファイル操作コマンドを実行し、書き込み中である場合には、ステップ５０４でエラーステイタスを返却する。こうすることで、データ通信装置１８の動作を停止させなくても同様の効果が得られる。
【００２８】
また、上述の実施形態では、データ通信装置１８の動作を停止して書き込みを実施しているが、動作を停止しなくても、制御部１２の処理能力を超える場合には、データ通信装置１８からの要求を拒絶し、エラーステイタスを返すことでも同様の効果が得られる。
【００２９】
図６はこの場合の処理を示すフローチャートである。まず、ステップ６０１でファイル操作コマンドを受信すると、ステップ６０２でＣＤ−Ｒ１５に画像データを書き込み中であるかどうかを判定する。ＣＤ−Ｒ１５に書き込み中でなければ、ステップ６０３に進んでファイル操作コマンドを実行し、書き込み中である場合には、ステップ６０４に進んで制御部１２の処理能力が十分にあるかを判定する。処理能力の判断方法としては、例えば、制御部（ＣＰＵ）１２の使用率を用いて使用率が一定値以上であれば処理能力がないと判断する。
【００３０】
制御部１２の処理能力が十分にある場合には、ステップ６０３でファイル操作コマンドを実行し、制御部１２の処理能力が一杯であり、処理能力に余力がない場合には、ステップ６０５でデータ通信装置１８にエラーステイタスを返信する。このように制御部１２の処理能力がない場合には、エラーステイタスを返信することでも同様の効果が得られる。
【００３１】
更に、上述の実施形態においては、データ通信装置１８の動作を停止して要求を拒絶するように動作するが、ＣＤ−Ｒの書き込み時には、データ通信装置１８からの要求に対してＣＤ−Ｒの書き込み中であることを通知し、要求の自粛を求める事でも有効である。
【００３２】
このようにＣＤ−Ｒに書き込む際にネットワークへの接続を停止し、或いはエラーステイタスを返信して要求を制限することにより、ＣＤ−Ｒを書き込む際のエラーを防止することができる。更に、画像データのハードディスク装置１４とＣＤ−Ｒ１５の同時書込みの際に、異常なファイル操作を防止する事も簡単に実施出来、ＣＤ−Ｒ１５に記録された情報とハードディスク装置１４内部に記録された情報の整合性を取る事も容易になり、入力された画像データを可搬記憶媒体に記録する画像データ記録装置において制御部の性能が低い装置においても、ＣＤ−Ｒへの書き込み性能を低下させずにネットワーク接続機能を付加する事が可能となる。
【図面の簡単な説明】
【００３３】
【図１】本発明によるデータ記録装置の一実施形態の外観を示す図である。
【図２】本発明によるデータ記録装置の一実施形態の構成を示すブロック図である。
【図３】図１の実施形態の動作手順を示すフローチャートである。
【図４】図１の他の動作手順を示すフローチャートである。
【図５】図１の更に他の動作手順を示すフローチャートである。
【図６】図１の更に他の動作手順を示すフローチャートである。
【図７】従来例の画像データ記録装置の構成を示すブロック図である。
【図８】図７の動作手順を示すフローチャートである。
【符号の説明】
【００３４】
１  画像データ記録装置
１１  画像入力部
１２  制御部
１３  メモリ
１４  ハードディスク装置
１５  ＣＤ−Ｒ装置
１６  表示部
１７  操作部
１８  データ通信装置
【図１】
2005122779.tif 000003
【図２】
2005122779.tif 000004
【図３】
2005122779.tif 000005
【図４】
2005122779.tif 000006
【図５】
2005122779.tif 000007
【図６】
2005122779.tif 000008
【図７】
2005122779.tif 000009
【図８】
2005122779.tif 000010